(57)【要約】【目的】ＩＰ電話システムにおいて一元的な音声コーデックの選択を可能とすると共に最適な音声コーデックへの変更を可能とする音声コーデック選択方法及び呼制御サーバを提供する。【構成】１つ以上の音声コーデックのうちの何れか１つを使用音声コーデックとして設定自在な複数のエンドポイント装置を含むＩＰ電話システムにおける、該使用音声コーデックを選択する音声コーデック選択方法及び呼制御サーバであり、該エンドポイント装置のうちの何れか２つで対をなす組み合わせ毎に、該音声コーデックの各々を識別する少なくとも１つのコーデック識別名を保持し、該組み合わせのうちの１に対応する２つのエンドポイント装置間の呼接続要求が発生する度に、該１の組み合わせに対応する１つのコーデック識別名を判別し、これに対応する音声コーデックを該使用音声コーデックとして該エンドポイント装置に設定する。【選択図】図１
2007228324.tif 000002
【特許請求の範囲】
【請求項１】
１つ以上の音声コーデックのうちの何れか１つを使用音声コーデックとして設定自在な複数のエンドポイント装置を含むＩＰ電話システムにおける、前記使用音声コーデックを選択する音声コーデック選択方法であって、
前記エンドポイント装置のうちの何れか２つで対をなす組み合わせ毎に、前記音声コーデックの各々を識別する少なくとも１つのコーデック識別名を保持する識別名保持ステップと、
前記組み合わせのうちの１に対応する２つのエンドポイント装置間の呼接続要求が発生する度に、前記１の組み合わせに対応する１つのコーデック識別名を判別し、これに対応する音声コーデックを前記使用音声コーデックとして前記エンドポイント装置に設定する使用コーデック設定ステップと、
を含むことを特徴とする音声コーデック選択方法。
【請求項２】
前記識別名保持ステップは、前記コーデック識別名の各々をその優先順位に対応付けて保持するステップであり、前記使用コーデック設定ステップは、前記優先順位に従って優先するコーデック識別名を判別するステップであることを特徴とする請求項１記載の音声コーデック選択方法。
【請求項３】
前記使用コーデック設定ステップは、前記優先順位において優先すると共に、前記エンドポイント装置からの発信メッセージに含まれる使用可能コーデック識別名に一致するコーデック識別名を判別するステップであることを特徴とする請求項１記載の音声コーデック選択方法。
【請求項４】
前記組み合わせ毎に、前記ＩＰ電話システムにおいて割り当てられる最大伝送帯域幅と、前記最大伝送帯域から最新の使用伝送帯域幅を控除した空伝送帯域幅とを保持する伝送帯域幅保持ステップと、
前記使用音声コーデックが使用する使用伝送帯域幅が前記空伝送帯域幅を超える場合には、前記呼接続を中断する呼接続中断ステップと、
をさらに含むことを特徴とする請求項１記載の音声コーデック選択方法。
【請求項５】
前記使用コーデック設定ステップは、前記１の組み合わせに対応する少なくとも１つのコーデック識別名の中から、前記空伝送帯域幅を超えない音声コーデックのコーデック識別名を判別するステップであることを特徴とする請求項４記載の音声コーデック選択方法。
【請求項６】
請求項１記載の音声コーデック選択方法を実行すると共に、前記エンドポイント装置に呼制御サービスを提供することを特徴とする呼制御サーバ。
【発明の詳細な説明】
【技術分野】
【０００１】
本発明は、ＩＰネットワークを介して対向するＩＰ電話端末やＶｏＩＰ（Voice over  IP）ゲートウェイ装置の如きエンドポイント装置の各々において用いられる音声符号化方式（以下、音声コーデックと称する）を、複数の音声コーデックの中から選択する音声コーデック選択方法、並びにかかるエンドポイント装置に呼制御サービスを提供する呼制御サーバに関する。
【背景技術】
【０００２】
特許文献１に開示される技術は、第１の網が無線通信回線の通信状況から最適な音声コーデックを決定し、該第１の網と第２の網との間で該音声コーデックへの変更要求や応答を行うことで、該第２の網と共通の動作が可能な音声コーデックを選択する方法を含んでいる。
【０００３】
特許文献２に開示される技術は、発呼者の希望する音声コーデックの指定コードを発信側及び着信側の構内交換機の各々に送信することで、かかる指定コードに対応する音声コーデックを用いた音声変換を行う方法を含んでいる。
【０００４】
これらの従来技術は、端末や交換機の如き対向する２台のエンドポイント装置が互いに交渉を行うことにより音声コーデックの選択を行うのが一般的である。
【特許文献１】特開２００３−２８９３８０号公報
【特許文献２】特開２００３−３７６８３号公報
【発明の開示】
【発明が解決しようとする課題】
【０００５】
しかしながら、かかる従来技術では、例えば、セントレックス（centrex）システムの如く、ＩＰネットワークを介して接続されるＶｏＩＰゲートウェイ装置が多数の拠点に設置されるＩＰ電話システムにおいては、対向するＶｏＩＰゲートウェイ装置の組み合わせ毎に音声コーデックの選択が個別になされてしまい、システム全体を通した一元的な音声コーデックの選択が困難であると共に、ＩＰネットワークの輻輳状態に即応して各拠点間で用いられる音声コーデックをシステム全体の性能の観点から最適に修正することが容易ではなかった。
【０００６】
本発明の目的は、ＩＰ電話システムにおいて一元的な音声コーデックの選択を可能とすると共に最適な音声コーデックへの変更を可能とする音声コーデック選択方法及び呼制御サーバを提供することである。
【課題を解決するための手段】
【０００７】
本発明による音声コーデック選択方法は、１つ以上の音声コーデックのうちの何れか１つを使用音声コーデックとして設定自在な複数のエンドポイント装置を含むＩＰ電話システムにおける、該使用音声コーデックを選択する音声コーデック選択方法であり、該エンドポイント装置のうちの何れか２つで対をなす組み合わせ毎に、該音声コーデックの各々を識別する少なくとも１つのコーデック識別名を保持する識別名保持ステップと、該組み合わせのうちの１に対応する２つのエンドポイント装置間の呼接続要求が発生する度に、該１の組み合わせに対応する１つのコーデック識別名を判別し、これに対応する音声コーデックを該使用音声コーデックとして該エンドポイント装置に設定する使用コーデック設定ステップとを含むことを特徴とする。
【０００８】
本発明による呼制御サーバは、かかる音声コーデック選択方法を実行することを特徴とする。
【発明の効果】
【０００９】
本発明による音声コーデック選択方法及び呼制御サーバによれば、ＩＰ電話システムにおいて一元的な音声コーデックの選択が可能となると共に最適な音声コーデックへの変更が可能となる。
【発明を実施するための最良の形態】
【００１０】
本発明の実施例について添付の図面を参照しつつ詳細に説明する。
＜第１の実施例＞
図１は、本発明の実施例を示し、音声コーデック選択方法を実行するＶｏＩＰ電話システムの構成を示している。ＶｏＩＰ電話システムは、ＳＩＰ（Session Initiation Protocol）プロトコルによる呼制御サービスが可能なＩＰネットワーク２０と、これに接続される複数のＶｏＩＰゲートウェイ装置１０ａ及び１０ｂと、ＩＰネットワーク２０に接続される呼制御サーバ３０とからなる。呼制御サーバ３０は、ＶｏＩＰゲートウェイ装置１０ａ及び１０ｂの各々との間でＳＩＰメッセージを交換することにより、各ゲートウェイ装置に呼制御サービスを提供するサーバである。呼制御サーバ３０は、装置別拠点番号テーブル６０（図２参照）と、拠点間コーデックテーブル群５０（図４参照）とを備えている。
【００１１】
ＶｏＩＰゲートウェイ装置１０ａ及び１０ｂは、ＩＰネットワーク２０において末端のノードを構成するエンドポイント装置であり、複数のアナログ電話機またはＩＰ電話機からなる電話群１３ａ及び１３ｂを各々収容している。ＶｏＩＰゲートウェイ装置１０ａ及び１０ｂの各々が互いに遠隔に位置する各拠点に配置されると共に、１つの呼制御サーバ３０が構内交換機（ＰＢＸ）として用いられることより、本実施例のＩＰ電話システムは全体として１つのセントレックスシステムを構成している。ＶｏＩＰゲートウェイ装置１０ａは拠点番号＃１により識別される拠点に位置し、ＶｏＩＰゲートウェイ装置１０ｂは拠点番号＃２により識別される拠点に位置するものとする。また、ＶｏＩＰゲートウェイ装置１０ａ及び１０ｂの各々には、装置識別番号として電話番号が割り当てられ、該電話番号と拠点番号とが対応付けられている（図２参照）。
【００１２】
ＶｏＩＰゲートウェイ装置１０ａ及び１０ｂは、収容する電話機網１１ａ及び１１ｂの各電話機において外部入出力される音声信号と、ＩＰネットワーク３０において伝送される圧縮符号化音声信号との間の変換を行う変換機能を備える。該変換機能は、異なる仕様の複数の音声符号化方式（以下、音声コーデックと称する）が動作可能であって、音声通話毎に１つ音声コーデックが呼接続の度に使用音声コーデックとして設定されて動作する。音声コーデックの各々は、例えば、Ｇ．７１１、Ｇ．７２２あるいはＧ．７２９の如きコーデック識別名により区別される。異なる音声コーデックの何れを動作せしめるかを画定する優先順位を設定するために、ＶｏＩＰゲートウェイ装置１０ａ及び１０ｂの各々は、優先順位とコーデック識別名との対応関係を指示する装置別コーデックテーブル１２ａ及び１２ｂ（図３参照）を各々備えている。
【００１３】
図１に示されるように、例えば、ＶｏＩＰゲートウェイ装置１０ａは、電話発信時に発信メッセージを呼制御サーバ３０に送信する。該発信メッセージは、１つのＳＩＰメッセージ（INVITEメッセージ）を含み、そのボディ部には、装置別コーデックテーブル１２ａの内容が記述されている。装置別コーデックテーブル１２ａの内容は、ＲＥＣ２３２７により規定されるＳＤＰ（Session Description Protocol）に従って通知される。該発信メッセージを受信した呼制御サーバ３０は、その発信要求に基づく呼制御をなすと共に、該発信メッセージに含まれる装置別コーデックテーブル１２ａの内容を、以降で説明する音声コーデック選択方法に従って修正し、これを装置別コーデックテーブル１２ａ’として発信先のＶｏＩＰゲートウェイ装置１０ｂに転送する。本図の例では、コーデック識別名“Ｇ．７２２”が１番目の優先順位から３番目の優先順位に繰り下げる修正がなされている。
【００１４】
図４は、図１に示した呼制御サーバ３０に保持される拠点間コーデックテーブル群５０の構成例を示している。拠点間コーデックテーブル群５０は、ある拠点と対向する拠点との組み合わせの拠点間毎に設定される複数の拠点間コーデックテーブル５１〜５Ｎ（Ｎは正数）から構成される。
【００１５】
拠点間コーデックテーブル５１〜５Ｎの各々は同一の構成を有し、例として、拠点間コーデックテーブル５１は、拠点番号と、対向拠点番号と、最大帯域幅と、空帯域幅と、複数の優先順位に各々対応する複数のコーデック識別名とからなる。拠点番号は、発信元のＶｏＩＰゲートウェイ装置の位置する拠点を識別する番号であり、装置識別番号（電話番号）との対応関係により特定のＶｏＩＰゲートウェイ装置に対応する。対向拠点番号は、ＩＰネットワークを介して対向する発信先（着信先）のＶｏＩＰゲートウェイ装置の位置する拠点を識別する番号であり、やはり装置識別番号（電話番号）との対応関係により特定のＶｏＩＰゲートウェイ装置に対応する。
【００１６】
最大帯域幅とは、本ＩＰ電話システムの仕様または運用上の制約から計画され得る、当該拠点間において使用可能とする伝送帯域幅である。また、空帯域幅とは、可変の値であって現在時点において使用可能な帯域幅であり、前述の最大帯域幅から既に使用中の帯域幅を控除して得られる伝送帯域幅である。使用中とする使用帯域幅は、当該拠点間で共通に用いられる音声コーデックにより定まる符号化ビット周期から計算される。例として、拠点番号＃１と対応拠点番号＃２との組み合わせについて見ると、最大帯域幅（bps: bit/sec）は“10000000bps”であり、空帯域幅は“5000000bps”である。拠点番号＃１と拠点番号＃２との間の拠点間通信においては、当該時点においてなお“5000000bps”が使用可能である。
【００１７】
図５は、本発明の第１の実施例における音声コーデック選択方法の処理手順を示している。該処理手順は、発信元拠点と発信先拠点との組み合わせの違いに従って音声コーデックを最適に選択する形態を示している。ここでは、発信元のＶｏＩＰゲートウェイ装置１０ａが発信先のＶｏＩＰゲートウェイ装置１０ｂに向けて発信をなすものとする。また、ＶｏＩＰゲートウェイ装置１０ａ及びゲートウェイ装置１０ｂの組み合わせに対応する音声コーデックの優先順位は拠点間コーデックテーブル５３（図４参照）に設定されているものとする。
【００１８】
先ず、ＶｏＩＰゲートウェイ装置１０ａは、呼制御サーバ３０に向けて発信メッセージとしてINVITEメッセージを送信する（ステップＳ１０１）。該INVITEメッセージには、装置別コーデックテーブル１２ａ（図３参照）を含んでいる。
【００１９】
呼制御サーバ３０は、該INVITEメッセージの受信に応じて、該INVITEメッセージに含まれる発信元電話番号から拠点番号を判別すると共に、発信先電話番号から対向拠点番号を判別する。次いで、呼制御サーバ３０は、装置別コーデックテーブル１２ａにおける優先順位の順に記述されているコーデック識別名を、対応する拠点間コーデックテーブル５３における優先順位の順に並び替えて修正する（ステップＳ１０２）。次いで、該修正の結果を修正装置別コーデックテーブル１２ａ’として生成する。尚、例外的に、拠点間コーデックテーブルに有って装置別コーデックテーブル１２ａに無いコーデック識別名についてはこれを修正装置別コーデックテーブル１２ａ’から削除し、優先順位が下位のコーデック識別名を繰り上げるようにする。これは、コーデック識別名が装置別コーデックテーブル１２ａに無い音声コーデックは、たとえ拠点間コーデックテーブル５３に設定されていても、当該ＶｏＩＰゲートウェイ装置において利用不可能であるからである。
【００２０】
次に、呼制御サーバ３０は、修正された結果の修正装置別コーデックテーブル１２ａ’を含むINVITEメッセージを発信先であるＶｏＩＰゲートウェイ装置１０ｂに向けて送信する（ステップＳ１０３）。次いで、修正装置別コーデックテーブル１２ａ’に含まれる１つまたは複数のコーデック識別名に対応する各音声コーデックの使用帯域幅のうちでその値が最大の使用帯域幅を判別し、かかる値を拠点間コーデックテーブル５３における空帯域幅の値から控除する（ステップＳ１０４）。これにより、最終的な音声コーデックの選択を待たずして帯域幅の確保が保証される。
【００２１】
一方、ＶｏＩＰゲートウェイ装置１０ｂは、呼制御サーバ３０からのINVITEメッセージに応じて、着信に係わる呼制御応答をなすと共に、音声コーデックの選択を行う（ステップＳ１０９）。すなわち、ＶｏＩＰゲートウェイ装置１０ｂは、自身の使用可能性及び優先順位を画定する装置別コーデックテーブル１２ｂと、受信した修正装置別コーデックテーブル１２ａ’とを比較し、一致し且つ最も優先順位の高いコーデック識別名（本図の例では、“Ｇ．７２９”）を判別して、これに対応する音声コーデックを選択する。
【００２２】
次にまたはステップＳ１０９に並行して、呼制御サーバ３０は、ＶｏＩＰゲートウェイ装置１０ａからのINVITEメッセージに対する応答として、100 Tryingメッセージを送信する（ステップＳ１０５）。一方、ＶｏＩＰゲートウェイ装置１０ｂは、呼制御サーバ３０からのINVITEメッセージに対する応答として、100 Tryingメッセージを呼制御ＶｏＩＰゲートウェイ装置１０ａに送信し（ステップＳ１０６）、さらに180 Ringingメッセージを送信する（ステップＳ１０７）。該180 Ringingメッセージに応じて、呼制御サーバ３０は、180 RingingメッセージをＶｏＩＰゲートウェイ装置１０ａに送信する（ステップＳ１０８）。
【００２３】
さらに、ＶｏＩＰゲートウェイ装置１０ｂは、収容する電話機を含めた着信完了に応じて、200 OKメッセージを呼制御サーバ３０に向けて送信する（ステップＳ１１０）。該メッセージには、ステップＳ１０９において選択されたコーデック識別名（本図の例では、“Ｇ．７２９”）を含んでいる。
【００２４】
呼制御サーバ３０は，ＶｏＩＰゲートウェイ装置１０ｂからの200 OKメッセージに応じて、同様に選択されたコーデック識別名を含む200 OKメッセージをＶｏＩＰゲートウェイ装置１０ａに向けて送信する（ステップＳ１１０）。次いで、呼制御サーバ３０は、選択されたコーデック識別名に対応する音声コーデックの使用帯域幅の値を、前述の最大使用帯域幅の値に代えて、空帯域幅の値から控除することにより空帯域幅を修正する（ステップＳ１１１）。これにより、現在時点で当該拠点間において使用可能な帯域幅が拠点間コーデックテーブル５１に反映される。例えば、発信時には最も高帯域幅を使用する“Ｇ．７１１”の帯域が確保されたが、応答時には狭帯域幅を使用する“Ｇ．７２９”が選択される。
【００２５】
呼制御サーバ３０からの200 OKメッセージに応じて、ＶｏＩＰゲートウェイ装置１０ａとＶｏＩＰゲートウェイ装置１０ｂとは通話を開始する（ステップＳ１１２）。この間、音声信号はＩＰネットワーク間をＲＴＰプロトコルにより伝送されると共に、音声信号は選択された音声コーデック（本図の例では、“Ｇ．７２９”）が両者で共通的に用いられる。
【００２６】
以上の第1の実施例において、本発明による音声コーデック選択方法及び呼制御サーバを用いることにより、発信元拠点及び発信先拠点からなる拠点間の違いに従って、使用音声コーデックの選択を制御することが可能になる。例えば、音声品質を重視する拠点間の通話では、良質な非圧縮方式の音声コーデックを選択し、音声品質を重視しない場合や狭い帯域幅のＷＡＮなどを経由する拠点間の場合は広帯域を要しない圧縮方式の音声コーデックを選択するといった運用が可能となる。
＜第２の実施例＞
図６は、本発明の第２の実施例を示し、音声コーデック選択方法の他の処理手順を示している。該処理手順は、帯域幅を超えると予想される場合に発信先へ着信の制限を実現する形態を示している。以下、第1の実施例における処理手順と異なる部分についてのみ説明する。ここでは、発信元のＶｏＩＰゲートウェイ装置１０ａが発信先のＶｏＩＰゲートウェイ装置１０ｂに向けて発信をなすものとする。
【００２７】
先ず、ＶｏＩＰゲートウェイ装置１０ａは、呼制御サーバ３０に向けて発信メッセージとしてINVITEメッセージを送信する（ステップＳ２０１）。呼制御サーバ３０は、該INVITEメッセージの受信に応じて、装置別コーデックテーブル１２ａにおける優先順位順のコーデック識別名を、対応する拠点間コーデックテーブルにおける優先順位順のコーデック識別名に修正する（ステップＳ２０２）。
【００２８】
次に、呼制御サーバ３０は、帯域確保が可能か否かを判定する（ステップＳ２０３）。帯域確保が可能な場合（ＯＫ）は、呼制御サーバ３０は、修正された結果の修正装置別コーデックテーブル１２ａ’を含むINVITEメッセージを発信先であるＶｏＩＰゲートウェイ装置１０ｂに向けて送信し（ステップＳ２０４）、以後、第1の実施例の場合と同様の処理を行う（図５におけるステップ１０４以降を参照）。
【００２９】
一方、帯域確保が不可能な場合（ＮＧ）は、呼制御サーバ３０は、ＶｏＩＰゲートウェイ装置１０ａに向けて、100 Tryngメッセージを送信し（ステップＳ２０５）、さらに488 Not Acceptable Hereメッセージを送信する（ステップＳ２０６）。これにより、ＶｏＩＰゲートウェイ装置１０ａからＶｏＩＰゲートウェイ装置１０ｂへの発信は中断され、ＶｏＩＰゲートウェイ装置１０ａは、発信が拒絶されたことを認識することができる。
【００３０】
以上の第２の実施例において、本発明による音声コーデック選択方法及び呼制御サーバを用いることにより、発信がなされた時点で空帯域幅を超える音声コーデックを用いる発信を規制することができる。これにより、ＩＰ電話システムの輻輳状態に即応した音声コーデックの選択が可能となる。
＜第３実施例＞
図７は、本発明の第３の実施例を示し、音声コーデック選択方法のさらなる処理手順を示している。該処理手順は、空帯域が不足している場合にも着信先への着信を制限することなく最適な音声コーデックを選択する形態を示している。ここでは、発信元のＶｏＩＰゲートウェイ装置１０ａが発信先のＶｏＩＰゲートウェイ装置１０ｂに向けて発信をなすものとする。
【００３１】
先ず、ＶｏＩＰゲートウェイ装置１０ａは、呼制御サーバ３０に向けて発信メッセージとしてINVITEメッセージを送信する（ステップＳ３０１）。呼制御サーバ３０は、該INVITEメッセージの受信に応じて、装置別コーデックテーブル１２ａにおける優先順位順のコーデック識別名を、対応する拠点間コーデックテーブルにおける優先順位順のコーデック識別名に修正する（ステップＳ３０２）。これにより、修正された修正装置別コーデックテーブル１２ａ’が生成される。
【００３２】
次に、呼制御サーバ３０は、帯域確保が可能か否かを判定する（ステップＳ３０３）。帯域確保が可能な場合は、呼制御サーバ３０は、第1の実施例の場合と同様の処理を行う（図５におけるステップ１０４以降を参照）。
【００３３】
一方、帯域確保が不可能な場合は、呼制御サーバ３０は、修正装置別コーデックテーブル１２ａ’の中から現在時点の空帯域においても帯域確保可能な音声コーデックを絞り込む（ステップＳ３０４）。これにより、かかる絞り込みが反映された絞込装置別コーデックテーブル１２ａ’’が生成される。
【００３４】
次に、呼制御サーバ３０は、絞込装置別コーデックテーブル１２ａ’’を含むINVITEメッセージを発信先であるＶｏＩＰゲートウェイ装置１０ｂに向けて送信する（ステップＳ３０５）。一方、ＶｏＩＰゲートウェイ装置１０ｂは、呼制御サーバ３０からのINVITEメッセージに応じて、着信に係わる呼制御応答をなすと共に、音声コーデックの選択を行う（ステップＳ３０６）。すなわち、ＶｏＩＰゲートウェイ装置１０ｂは、自身の使用可能性及び優先順位を規定する装置別コーデックテーブル１２ｂと、受信した絞込装置別コーデックテーブル１２ａ’’とを比較し、一致し且つ最も優先順位の高いコーデック識別名（本図の例では、“Ｇ．７２９”）を判別して、これに対応する音声コーデックを選択する。絞込装置別コーデックテーブル１２ａ’’には、現在の空帯域幅において使用可能な音声コーデックのコーデック識別名のみが示される。従って、ＶｏＩＰゲートウェイ装置１０ｂは、現在時点で使用可能且つ優先度の高い音声コーデックを選択することができる。
【００３５】
次に、第１実施例におけると同様の処理手順を踏む（ステップＳ３０７〜Ｓ３１０）ことにより、ＶｏＩＰゲートウェイ装置１０ａとＶｏＩＰゲートウェイ装置１０ｂとは通話を開始する（ステップＳ３１１）。この間、音声信号はＩＰネットワーク間をＲＴＰプロトコルにより伝送されると共に、音声信号は選択された音声コーデック（本図の例では、“Ｇ．７２９”）が両者で共通的に用いられる。
【００３６】
以上の第３の実施例においては、本発明による音声コーデック選択方法及び呼制御サーバを用いることにより、例えば、拠点グループ間の通話数が増加した場合においても、呼制御サーバーがその時点の空帯域で利用可能な音声コーデックを最適に選択して、発信先への着信を可能とする運用が可能となる。
【００３７】
以上の複数の実施例から明らかなように、本発明による音声コーデック選択方法及び呼制御サーバによれば、要求音質条件や輻輳状態の如きネットワーク条件に応じて最適な音声コーデックを選択することができる。
【００３８】
例えば、音声品質を優先したい相手との通話では非圧縮の音声コーデックの優先順位を上げ、一方、音声品質を優先しない相手の場合、宛先ルートに帯域幅の狭いＷＡＮを経由する相手の場合あるいはネットワークに帯域不足が発生している相手の場合には圧縮した音声コーデックの優先順位を上げるといった運用が可能となる。また、一定の帯域幅を超える通話数が発生するといった現在の状況に即応して、それ以降の通話を規制することや広帯域の音声コーデックの使用を制限するといったシステム全体を通した一元的な運用が可能となる。
【００３９】
尚、以上の複数の実施例では、１つの呼制御サーバ３０と、２つのＶｏＩＰゲートウェイ装置１０ａ及び１０ｂが示されているが、本発明におけるＩＰ電話システムは、複数の呼制御サーバ及び２つ以上のＶｏＩＰゲートウェイ装置１０ａ及び１０ｂを含み得る。また、ＶｏＩＰゲートウェイ装置１０ａ及び１０ｂが本発明におけるエンドポイント装置の一例として示されたが、かかるエンドポイント装置は、ＩＰ電話システムにおける１つの端末として機能し得ると共に、音声コーデックを用いて音声符号化をなす多様な装置で有り得る。
【図面の簡単な説明】
【００４０】
【図１】本発明の実施例であり、音声コーデック選択方法を実行するＶｏＩＰ電話システムの構成を示すブロック図である。
【図２】装置別拠点番号テーブルの構成例を示す図である。
【図３】装置別コーデックテーブルの構成例を示す図である。
【図４】図１に示した呼制御サーバに保持される拠点間コーデックテーブルの構成例を示すテーブル図である。
【図５】本発明の第１の実施例を示し、音声コーデック選択方法の処理手順を示すシーケンス図である。
【図６】本発明の第２の実施例を示し、音声コーデック選択方法の他の処理手順を示すシーケンス図である。
【図７】本発明の第３の実施例を示し、音声コーデック選択方法のさらなる処理手順を示すシーケンス図である。
【符号の説明】
【００４１】
１０ａ、１０ｂ  ＶｏＩＰゲートウェイ装置
１２ａ、１２ｂ  装置別コーデックテーブル
１２ａ’  修正装置別コーデックテーブル
１２ａ’’  絞込装置別コーデックテーブル
１３ａ、１３ｂ  電話機群
２０  ＩＰネットワーク
３０  呼制御サーバ
５０  拠点間コーデックテーブル群
５１〜５Ｎ  拠点間コーデックテーブル
６０  装置別拠点番号テーブル
【図１】
2007228324.tif 000003
【図２】
2007228324.tif 000004
【図３】
2007228324.tif 000005
【図４】
2007228324.tif 000006
【図５】
2007228324.tif 000007
【図６】
2007228324.tif 000008
【図７】
2007228324.tif 000009